(57)【要約】      （修正有）【課題】誰でも簡単に楽しめるとともに、その設置位置の移動も容易なる球用遊具を提供する。【解決手段】適宜長の支柱上部にゴールボードを設け、該ゴールボードに適宜支持部材にて、リングとネットを有するゴールを取り付けたことを特徴とする。さらに、ゴールボードの昇降機能、格子板によるゴールボード形成、ゴール内に鈴を保持させる等の機能を併用することにより、さらなる利便性の向上を見込むことができる。【選択図】図８
0003144522.tif 000002
【実用新案登録請求の範囲】
【請求項１】
適宜長の支柱上部にゴールボードを設け、該ゴールボードに適宜支持部材にて、リングとネットを有するゴールを取り付けたことを特徴とする球用遊具。
【請求項２】
支柱に対してゴールボードを昇降可能に設けてなる請求項１記載の球用遊具。
【請求項３】
ゴールボードを格子板を用いて形成してなる請求項１又は２記載の球用遊具。
【請求項４】
ゴールのリングにその一端を取り付けるとともに他端を斜方に垂下させてなる鈴保持鋼線を設け、該鋼線に鈴を脱落不能に取り付けてなる請求項１〜３のいずれかの項に記載の球用遊具。
【請求項５】
支柱側面に基準線表示を設けてなる請求項１〜４のいずれかの項に記載の球用遊具。
【考案の詳細な説明】
【技術分野】
【０００１】  この考案は、地面上方もしくは床面上方に位置するゴールに球を投入して遊ぶための遊具に関する。
【背景技術】
【０００２】  従来より、球を用いる種々の遊びや競技があるが、本案にて示すように、地面上や床面上に備え付けてゴールを上方に位置させ、必要に応じてこのゴール位置を変更可能に設けたものは現在のところ見あたらない。
【考案の開示】
【考案が解決しようとする課題】
【０００３】  球を用いる遊びや競技は以前より多種多様に行われている。例えば、サッカー、野球、ソフトボール、卓球、テニス、バレーボール、バスケットボール、ハンドボール、ラグビー、アメリカンフットボール、ゴルフ、パークゴルフ、ゲートボール、ボーリング、ドッジボール、キャッチボールなどがある。また、球を用いないがバドミントンやカーリングがある。一般にこれらの遊びや競技では特定の用具や設備を用いることが多く、設備は屋内外を問わず特定の場所に設置される。
近年、高齢化社会がクローズアップされ、高齢化に適した社会改革の必要性が認識されつつある。高齢者になって感ずることに一つに肉体の衰退化があり、とりわけ脚部の衰えが顕著である。これをカバーするために歩行やジョギング等も行われているが、脚部を含めた全身の運動が好ましい。しかし、既述のようなスポーツを行うにはその設備のある特定場所に出向く必要があり、また種目によっては肉体的負担が懸念される。
本案は、以上のような従来からの球を用いる遊びや競技に代えて、任意の場所に設置して用いることができるとともに、その設置場所の変更も容易に行うことができ、簡易に楽しめる新規かつ有用なる遊具を提供することを目的として開発されたものである。
【課題を解決するための手段】
【０００４】  課題を解決する手段として本案は以下の構成とした。
すなわち、適宜長の支柱上部にゴールボードを設け、該ゴールボードに適宜支持部材にて、リングとネットを有するゴールを取り付ける。本案は以上の構成よりなる球用遊具である。なお、ゴールボードの昇降機能、格子板によるゴールボード形成、ゴール内の鈴等を併用することにてさらなる利便性の向上を見込むことができる。
【考案の効果】
【０００５】  本案は下記の効果を有する。
１．地面もしくは床面上にピンやボルト等にて固定し、あるいは重量のある基台を用いて載置する方式のため、設置場所の変更が容易である。
２．ゴールボードを格子板を用いて形成することにて、屋外使用時の風圧による支柱等への影響を極少とすることができる。
３．ゴールを支柱に沿って昇降および固定可能とすることにより、使用者の状況に合わせた利用ができる。
４．ゴール内に鈴を鈴保持鋼線にて設けることにより、ゴールに投入されたボールのゴール通過を聴覚的に把握して楽しむことができる。
【考案を実施するための最良の形態】
【０００６】  以下、本考案の実施形態について説明する。
図において、１は台板で、所定厚の方形鉄板であり、その四隅近傍に取付孔が穿設される。また、四辺側面には傾斜面が形成される。２は支柱で、断面方形の金属製中空角体であり、その下端は台板中央に固着立設され、上端は該角体断面と同形の板体固着にて覆われている。３は基準線で、支柱外周に一定間隔にて平行に表示される、印刷や塗装もしくはステッカー等にて表示される線状部分である。４は支柱裏面に連設される係止孔である。
５はスライダーで、支柱を内在させつつ支柱に沿って昇降可能な中空角体よりなる所定長の物品であり、その裏方側面中央には雌ねじが刻設される。６は該雌ねじに螺合する雄ねじ部分を有するつまみである。
７はゴールボードである。このゴールボードは所定サイズの長方形板状体であり、その外周は細巾の鉄板にて形成され、中央上下にわたるセンター板８を有している。センター板と外周の板間には細巾板による格子板９が固着されて位置する。このセンター板下方裏面はスライダーに溶接やビス止めにて固定される。１０はゴールである。このゴールは、選択された直径にて線体を円形に加工してなるリング１１と、このリングにその上部を固定されつつリング内下方に垂下する柔軟性を有する湾曲筒状のネット１２から形成される。いわゆるバスケットボールにて用いられるものと同様の物品である。１３はＬ形板体による取付板で、その一端は前記リングに固着され、他方はゴールボードに取り付けられる。【０００７】  本案を使用するには、まず任意に選んだ地面もしくは床面上に本品を設置する。設置時は台板に穿設されている取付孔を利用してボルトやピン等にて取り付ける。ボルトの時は螺合する雌ねじを設け、ピンの時は打ち込みにて行われる。本例では適宜長の棒体下端を先鋭にし、上端を環状に形成したものを用いている。移動時などでピンを抜き取るときは、別の棒体をこの環状部分に挿入し、テコを利用することにて困難なく抜き取ることができる。この設置状態にて地面上に支柱が固定立設し、支柱上部にゴールおよびゴールボードが位置しているので、利用者は図８のようにボールを投げ上げてゴールに投入して遊ぶことができる。ゴールボードは既述のように、格子板を主体に形成されており、風があっても風圧の影響を避けることができる。、また本例はゴールボードおよびゴールの支柱に対する昇降と位置固定が可能である。固定時はつまみの雄ねじ端は係止孔内に位置するが、このつまみをゆるめることにて雄ねじ端は係止孔から外れるので、スライダーは昇降可能となり、適宜位置まで移動させてつまみを締めて係止孔に係止させて固定することができる。本例では支柱側面に基準線を設けている。この基準線は係止孔と一定距離を有して係止孔より下方に位置する。従って、スライダー下端をこの基準線に一致させたとき、つまみ端と係止孔は一致し、スライダーの上下位置を容易に設定することができる。【０００８】  図５〜図６は本案の他例を示すものである。図において、１４は鈴保持鋼線で、市販の適宜径の鋼線であり、やや湾曲するとともにその一端はリング内面に固着され、他端はリング内部下方に斜方垂下している。本例では二個所対称位置に設けている。
この鋼線の中間位置は３６０度回転して得られるループ１５を有し、またその先端も同様にループ１６が形成される。１７は市販の鈴で、その取付部内に該鋼線が位置するとともに、ループ１５より上方に鈴が位置している。従って、ボールがリングを通過するとき、図５のようにボールは鋼線に接触しつつその弾力に逆らって下方へ移動するが、鋼線の先端間距離は増大し、ボール通過後は鋼線はその弾力にて元の位置に復帰し、この動きは反復される。これにて鈴も反復振動して固有の発音がなされ、利用者に感知される。
鈴はループより上方に位置するので鋼線からの脱落はなく、鋼線端にもループが形成されているのでボールの損傷を回避できる。なお、その他の部分は前例同様である。【０００９】  図７は本案の別例を示すもので、前例が支柱およびスライダーを中空角体にて形成したが、本例は双方を筒体にて形成し、かつ支柱外周に一定間隔にて環状凹部を形成したものであり、他の部分は前例同様である。本例では筒体を用いたので、支柱に対してスライダーおよびゴールボードの回動が可能である。また、つまみ操作にてスライダー内面よりつまみの雄ねじ端の突出と非突出を選択でき、つまみ突出にて雄ねじ端を環状凹部内に位置させ、つまみを締め付けることにてスライダーの支柱に対する固定が可能である。
以上、本案について記したが、本案は任意の場所への設置およびその移動が容易であるところにその特徴を有するものである。また、ゴールの昇降移動機能や鈴を設けることにてその趣に変化を与え、誰でも楽しめる遊具を得ることができる。
なお、本品の取付については既述の手段以外に、図２の仮想線にて示すように、コンクリートなどの重量物を用いてブロック体を形成し、このブロック体に支柱を立設固定し、これを地上に載置する方式としてもよい。また、鈴および鈴保持鋼線は、本例で示した対称二個所以外に、三等配や四等配に設けてもよい。鈴の脱落防止手段およびボールへの損傷回避手段として、ループ以外に小塊状物品を鋼線に固着してもよい。また、既述の各構成要素としてのスライダー昇降機能、基準線、鈴保持機能を略して構成してもよい。
本案は高齢者の体力維持を主眼として設けたが、老若男女だれでも楽しむことができ、単なる歩行やランニングでは得られない全身の体力と敏捷性を遊びながら強化することができ、その設置場所も自由である。また、ゴールの昇降が可能のため、利用者の体力や技量に合わせて楽しむことができ、従来のバスケットボール同様にゴールボードを有しているので、ここへのボール反発を利用して遊ぶことができる。また、台板四辺端に傾斜面を設けたので、使用者の足先の台板辺衝突によるつまづきが緩和され、センター板に本品所有者の氏名や組織名を表現することができる。さらに、鈴の発音機能を設けることにて視覚障害者の利用にも道を開くことができる。以上のごとく、本案によって利便性に富み、簡易な利用を可能とする有用なる物品を提供することができる。
【図面の簡単な説明】
【００１０】
【図１】本考案の正面図（設置状態）
【図２】本考案の右側面図（設置状態）
【図３】本考案の背面図（設置状態）
【図４】本考案の右側面図（設置状態・ゴールボード移動時）
【図５】本考案の鈴機能説明図
【図６】本考案の要部拡大説明図
【図７】本考案の別例説明図
【図８】本考案の使用状態図
【符号の説明】
【００１１】１    台板
２    支柱
３    基準線
４    係止孔
５    スライダー
６    つまみ
７    ゴールボード
８    センター板
９    格子板
１０  ゴール
１１  リング
１２  ネット
１３  取付板
１４  鈴保持鋼線
１５  ループ
１６  ループ
１７  鈴
１８  環状凹部
１９  ブロック体
２０  ピン
２１  支柱
２２  スライダー
【図１】
0003144522.tif 000003
【図２】
0003144522.tif 000004
【図３】
0003144522.tif 000005
【図４】
0003144522.tif 000006
【図５】
0003144522.tif 000007
【図６】
0003144522.tif 000008
【図７】
0003144522.tif 000009
【図８】
0003144522.tif 000010